(57)【要約】  複数の放射線検出器を一体化させて構成される検出器結合体において、ある放射線検出器で発生した蛍光を隣の放射線検出器側に漏洩させないように工夫することで、検出感度を高めることを目的とする。本発明に係る検出器結合体は、両放射線検出器のシンチレータ２に挟まれる位置に設けられた蛍光を反射する隔壁板５Ｙを備え、隔壁板５Ｙは、両放射線検出器のライトガイド４に挟まれる位置にまで延伸している。この様に構成することにより、従来構成のようにライトガイド４に係る隔壁板５Ｘ，５Ｙとシンチレータ２に係る隔壁板５Ｘ，５Ｙとの間の隙間から蛍光が漏れ出してしまうことがない。
2016067687.tif 000002
【特許請求の範囲】
【請求項１】
（Ａ）放射線を蛍光に変換するシンチレータ結晶が縦横に配列して構成されるシンチレータと、前記シンチレータで発生した蛍光を通過させるライトガイドと、前記ライトガイドを通過してきた蛍光を検出する光検出器がこの順に積層方向に積層されて構成される放射線検出器と、
（Ｂ）前記積層方向を一致させた状態で前記積層方向と直交する方向から前記放射線検出器に結合されるもう一つの放射線検出器と、
（Ｃ）両放射線検出器の前記シンチレータに挟まれる位置に設けられた蛍光を反射する隔壁板を備え、
（Ｄ）前記隔壁板は、両放射線検出器の前記ライトガイドに挟まれる位置にまで延伸していることを特徴とする検出器結合体。
【請求項２】
請求項１に記載の検出器結合体において、
前記隔壁板は、ＥＳＲフィルム、白色シート、ＥＳＲフィルムがこの順に積層されて構成されていることを特徴とする検出器結合体。
【請求項３】
請求項１または請求項２に記載の検出器結合体において、
４つの前記放射線検出器が縦横に配列されて構成されており、
縦方向に伸びる前記隔壁板と横方向に伸びる前記隔壁板とが組み合わさって構成される隔壁板組体を備えていることを特徴とする検出器結合体。
【請求項４】
請求項１ないし請求項３のいずれかに記載の検出器結合体において、
前記シンチレータを構成する前記シンチレータ結晶は、前記シンチレータの高さ方向の全域に跨って設けられていることを特徴とする検出器結合体。
【請求項５】
請求項１ないし請求項４のいずれかに記載の検出器結合体において、
ＴＯＦ−ＰＥＴ装置用となっていることを特徴とする検出器結合体。
【請求項６】
請求項１または請求項２に記載の検出器結合体において、
複数の前記放射線検出器が縦横に２次元的に配列された構成となっており、
縦方向に伸びる前記隔壁板と横方向に伸びる前記隔壁板とが組み合わさって構成される隔壁板組体を備えていることを特徴とする検出器結合体。
【請求項７】
請求項１ないし請求項６のいずれかに記載の検出器結合体において、
前記隔壁板が両放射線検出器の前記光検出器に挟まれる位置にまで延伸していることを特徴とする検出器結合体。
【請求項８】
（Ａ１）放射線を蛍光に変換するシンチレータ結晶が縦横に配列して構成されるシンチレータと、蛍光を検出する光検出器が積層方向に積層されて構成される放射線検出器と、
（Ｂ）前記積層方向を一致させた状態で前記積層方向と直交する方向から前記放射線検出器に結合されるもう一つの放射線検出器と、
（Ｃ）両放射線検出器の前記シンチレータに挟まれる位置に設けられた蛍光を反射する隔壁板を備え、
（Ｄ１）前記隔壁板は、両放射線検出器の前記光検出器に挟まれる位置にまで延伸していることを特徴とする検出器結合体。
【請求項９】
請求項８に記載の検出器結合体において、
複数の前記放射線検出器が縦横に２次元的に配列された構成となっており、
縦方向に伸びる前記隔壁板と横方向に伸びる前記隔壁板とが組み合わさって構成される隔壁板組体を備えていることを特徴とする検出器結合体。
【発明の詳細な説明】
【技術分野】
【０００１】
本発明は、シンチレータ結晶が２次元または３次元的に配列された放射線検出器が複数個結合された検出器結合体に関する。
【背景技術】
【０００２】
γ線などの放射線を検出する放射線検出器には外見が図１９左側のようなものがある。この様な放射線検出器５１は、シンチレータ結晶ｃが縦、横、高さ方向に３次元的に配列したシンチレータ５２と、シンチレータ５２から発した蛍光を通過させるライトガイド５４と、ライトガイド５４を通過してきた蛍光を検出する光検出器５３とを有している。シンチレータ５２から発せられる蛍光は、放射線が変換されたものである（例えば特許文献１参照）。【０００３】
放射線検出器５１は、蛍光を測定する際に蛍光がシンチレータ５２のどの部分で発したかを区別する機能を有している。この様な機能は、蛍光の位置弁別機能と呼ばれる。放射線検出器５１は、シンチレータ５２を構成するシンチレータ結晶ｃのどの結晶が蛍光を発したのかを特定することにより、蛍光の位置を弁別する。【０００４】
最近は、図１９右側に示すようにシンチレータ結晶ｃが縦、横に２次元的に配列したシンチレータ５２を有する放射線検出器が開発されてきている。【０００５】
ＰＥＴ装置など放射線撮影装置を構成するには、上述の放射線検出器５１を数多く配列して検出器リングを構成する必要がある。放射線検出器を配列して検出器リングを構成するときに、放射線検出器同士の間に隙間があると、その部分で放射線の検出を行うことができない。【０００６】
そこで、従来構成においては、複数の放射線検出器を一体化させる構成が考え出されている。図２０は、４つの放射線検出器が一体化した検出器結合体の構成について示している。この検出器結合体を構成するシンチレータ５２ａ，５２ｂ，５２ｃ，５２ｄの側面は互いに貼り合わされており、互いに隣り合うシンチレータ５２ａ，５２ｂ，５２ｃ，５２ｄの間には隙間がない。【０００７】
この検出器結合体は、互いに系統が独立している放射線検出器が４つ貼り合わされた構成となっている。したがって、シンチレータ５２ａ内で生じた蛍光は、すべてシンチレータ５２ａに光学的に接続されている光検出器５３ａで検出しなければならない。シンチレータ５２ａ内で生じた蛍光が隣のシンチレータ５２ｂに漏れてしまうと、この漏れ出した蛍光は、シンチレータ５２ａの下に設けられた光検出器５３ａで検出できない。したがって、光検出器５３ａは蛍光の強度を実際よりも弱く見積もってしまう。蛍光の漏洩は、検出器結合体の放射線の検出感度を悪化させるのである。【０００８】
このような事態を抑制する目的で従来より、各シンチレータ５２ａ，５２ｂ，５２ｃ，５２ｄの界面に各シンチレータを光学的に分断する隔壁反射板５５を設けた構成が考え出されている。これにより、シンチレータ５２ａで発生した蛍光が隣のシンチレータ５２ｂに入射しようとしてもその前に隔壁反射板５５により反射され、シンチレータ５２ｂに入射できない。
【先行技術文献】
【特許文献】
【０００９】
【特許文献１】特表２００８−５２５１６１号公報
【発明の概要】
【発明が解決しようとする課題】
【００１０】
しかしながら、従来装置によれば次のような問題点がある。
すなわち、従来装置によれば、放射線検出器間で起こる蛍光の漏洩を完全に抑えることができない。【００１１】
放射線検出器のシンチレータは、ライトガイド５４を介して光検出器５３に光学的に結合している。したがって、各放射線検出器に付属するライトガイドが互いに隣接することになる。このライトガイド５４の存在が蛍光の漏洩の原因となる。隔壁反射板５５は、シンチレータを跨いだ蛍光の往来を禁止することはできても、互いに隣接するライトガイド５４を跨ぐ蛍光の往来を禁止することはできないのである。【００１２】
このような蛍光の漏洩を防止するには、互いに隣接するライトガイド５４の間にも隔壁反射板を設ければよいように思われる。しかし、この様な構成であっても蛍光の漏洩を確実に防止することはできない。この事情について説明する。従来構成の検出器結合体は、図２１に示すようにシンチレータ５２ａ，５２ｂ，５２ｃ，５２ｄと隔壁反射板５５とを一体化してシンチレータ結合体を製造するとともに、４つのライトガイド５４を一体化してライトガイド結合体を製造し、これらシンチレータ結合体とライトガイド結合体とを結合することで検出器結合体が製造される。シンチレータ結合体とライトガイド結合体とは光学接着剤を介して結合される。【００１３】
互いに隣接するライトガイド５４の間に隔壁反射板５６を設けるようにするには、ライトガイド結合体を製造する際に、隔壁反射板５６をライトガイド５４の間に挟んでライトガイドの一体化を行うことになる。【００１４】
シンチレータ結合体とライトガイド結合体との間には、光学接着剤が硬化した接着剤層が介在している。この接着剤層は、シンチレータ結合体の隔壁反射板５５とライトガイド結合体の隔壁反射板５６の間にも介在することになる。つまり、隔壁反射板５５と隔壁反射板５６は蛍光を透過させる接着剤層により分断される。【００１５】
従来構成によれば、シンチレータ５２ａで生じた蛍光を光検出器５３ａにすべて入射させようとしても、一部が隔壁反射板５５と隔壁反射板５６とが分断されている部分（シンチレータ５２ａとライトガイド５４ａとの間）に位置する接着剤層を通じて隣のライトガイドに逃げ出してしまう。この接着剤層がなければ、この様な蛍光の漏洩は起こらないわけであるが、接着剤層は、シンチレータとライトガイドとを一体化するのに不可欠である。【００１６】
また、従来構成によると、シンチレータ結合体におけるライトガイド結合体に対する接合面は、完全に平面になっていない。すなわち、隔壁反射板５５は、シンチレータの下面に届いておらず、接合面は隔壁反射板の部分で凹んだ構成となっている。シンチレータ結合体とライトガイド結合体とを結合しようとするときに、この凹みに接着剤が溜まるので、接着剤層は図２２に示すように、隔壁反射板５５に接する部分で厚くなるようにシンチレータ側に入り込んだ仕上がりとなる。この厚くなった部分こそまさに接着剤層おいて蛍光が放射線検出器を跨ぐときに通過する部分である。本来蛍光をせき止めるべき部分において蛍光を通過させる接着剤層が厚くなったわけであるから、蛍光の漏洩がますます盛んに起こることになる。【００１７】
また、この様な凹みはライトガイド結合体側でも発生する。この凹みにも接着剤が溜まるわけであるから、図２２に示すように、隔壁反射板５５に接する部分の接着剤層は、ますます厚くなる。これが更なる蛍光の漏洩の原因となる。【００１８】
本発明は、この様な事情に鑑みてなされたものであって、その目的は、複数の放射線検出器を一体化させて構成される検出器結合体において、ある放射線検出器で発生した蛍光を隣の放射線検出器側に漏洩させないように工夫することで、検出感度を高めることを目的とする。
【課題を解決するための手段】
【００１９】
本発明は上述の課題を解決するために次のような構成をとる。
すなわち、本発明に係る検出器結合体は、（Ａ）放射線を蛍光に変換するシンチレータ結晶が縦横に配列して構成されるシンチレータと、シンチレータで発生した蛍光を通過させるライトガイドと、ライトガイドを通過してきた蛍光を検出する光検出器がこの順に積層方向に積層されて構成される放射線検出器と、（Ｂ）積層方向を一致させた状態で積層方向と直交する方向から放射線検出器に結合されるもう一つの放射線検出器と、（Ｃ）両放射線検出器のシンチレータに挟まれる位置に設けられた蛍光を反射する隔壁板を備え、（Ｄ）隔壁板は、両放射線検出器のライトガイドに挟まれる位置にまで延伸していることを特徴とするものである。【００２０】
［作用・効果］本発明によれば、複数の放射線検出器を一体化させて構成される検出器結合体において、ある放射線検出器で発生した蛍光を隣の放射線検出器側に漏洩させないように工夫することで、検出感度を高めることができる。すなわち、本発明に係る検出器結合体は、両放射線検出器のシンチレータに挟まれる位置に設けられた蛍光を反射する隔壁板を備え、隔壁板は、両放射線検出器のライトガイドに挟まれる位置にまで延伸している。この様に構成することにより、従来構成のようにライトガイドに係る隔壁板とシンチレータに係る隔壁板との間の隙間から蛍光が漏れ出してしまうことがない。本発明によればシンチレータで生じた蛍光は確実に光検出器で検出できる検出器結合体を提供することができる。【００２１】
また、上述の検出器結合体において、隔壁板は、ＥＳＲフィルム、白色シート、ＥＳＲフィルムがこの順に積層されて構成されていればより望ましい。【００２２】
［作用・効果］上述の構成は、本発明の検出器結合体をより具体的に表している。隔壁板を白色シートで構成するようにすれば、隔壁板を挟み込む放射線検出器は確実に光学的に遮断される。【００２３】
また、上述の検出器結合体において、４つの放射線検出器が縦横に配列されて構成されており、縦方向に伸びる隔壁板と横方向に伸びる隔壁板とが組み合わさって構成される隔壁板組体を備えていればより望ましい。【００２４】
［作用・効果］上述の構成は、本発明の検出器結合体をより具体的に表している。縦方向に伸びる隔壁板と横方向に伸びる隔壁板とが組み合わさって構成される隔壁板組体が構成されていれば４つの放射線検出器の各々を確実に光学的に隔離することができる。【００２５】
また、上述の検出器結合体において、シンチレータを構成するシンチレータ結晶は、シンチレータの高さ方向の全域に跨って設けられていればより望ましい。【００２６】
［作用・効果］上述の構成は、本発明の検出器結合体をより具体的に表している。シンチレータ結晶がシンチレータの高さ方向の全域に跨って設けられていれば、シンチレータ結晶同士の界面で蛍光の一部が反射することがなく、放射線検出の感度が向上した検出器結合体を提供することができる。【００２７】
また、上述の検出器結合体において、ＴＯＦ−ＰＥＴ（Ｔｉｍｅ  ｏｆ  Ｆｒｉｇｈｔ  -  Ｐｏｓｉｔｒｏｎ  Ｅｍｉｓｓｉｏｎ  Ｔｏｍｏｇｒａｐｈｙ）装置用となっていればより望ましい。【００２８】
［作用・効果］上述の構成は、本発明の検出器結合体の好適な利用方法を表している。本発明の検出器結合体は、従来構成と比べて放射線検出の感度が向上している。したがって、本発明は、高度な検出分解能が要求されるＴＯＦ−ＰＥＴにも用いることができる。【００２９】
また、上述の検出器結合体は、複数の放射線検出器が縦横に２次元的に配列された構成となっており、縦方向に伸びる隔壁板と横方向に伸びる隔壁板とが組み合わさって構成される隔壁板組体を備える構成とすることもできる。【００３０】
［作用・効果］
本発明の構成は、２個または４個の放射線検出器を有する構成に限られず、これ以外の個数の放射線検出器を有する構成にも適応することができる。【００３１】
また、上述の検出器結合体において、隔壁板が両放射線検出器の光検出器に挟まれる位置にまで延伸していればより望ましい。【００３２】
［作用・効果］
上述の構成とすれば、隔壁板がライトガイドの全域を確実に覆うので、より確実に蛍光の漏れを防ぐことができる。【００３３】
また、本発明に係る検出器結合体は、（Ａ１）放射線を蛍光に変換するシンチレータ結晶が縦横に配列して構成されるシンチレータと、蛍光を検出する光検出器が積層方向に積層されて構成される放射線検出器と、（Ｂ）積層方向を一致させた状態で積層方向と直交する方向から放射線検出器に結合されるもう一つの放射線検出器と、（Ｃ）両放射線検出器のシンチレータに挟まれる位置に設けられた蛍光を反射する隔壁板を備え、（Ｄ１）隔壁板が両放射線検出器の光検出器に挟まれる位置にまで延伸していることを特徴とするものである。【００３４】
［作用・効果］
本発明はライトガイドを備えない放射線検出器を有する検出器結合体にも適用することができる。【００３５】
また、本明細書は以下のような発明も開示している。
（１）放射線を蛍光に変換するシンチレータ結晶が縦横に配列して構成されるシンチレータと蛍光を検出する光検出器とが積層されて構成される放射線検出器と、前記積層方向を一致させた状態で前記積層方向と直交する方向から前記放射線検出器に結合されるもう一つの放射線検出器と、両放射線検出器の前記シンチレータに挟まれる位置に設けられた蛍光を反射する隔壁板とを備え、前記隔壁板は、両放射線検出器の前記光検出器に挟まれる位置にまで延伸していることを特徴とする検出器結合体。
（２）放射線を蛍光に変換するシンチレータ結晶と蛍光を検出する光検出器とが光学結合されて構成される放射線検出器において、複数の前記放射線検出器が縦横に2次元に配列した構成であり、前記放射線検出器間に配置された蛍光を反射する隔壁板とを備え、前記隔壁板は、前期放射線検出器の前記光検出器に挟まれる位置にまで延伸していることを特徴とする検出器結合体。
【発明の効果】
【００３６】
本発明によれば、複数の放射線検出器を一体化させて構成される検出器結合体において、ある放射線検出器で発生した蛍光を隣の放射線検出器側に漏洩させないように工夫することで、検出感度を高めることができる。すなわち、本発明に係る検出器結合体は、両放射線検出器のシンチレータに挟まれる位置に設けられた蛍光を反射する隔壁板を備え、隔壁板は、両放射線検出器のライトガイドに挟まれる位置にまで延伸している。この様に構成することにより、従来構成のようにライトガイドに係る隔壁板とシンチレータに係る隔壁板との間の隙間から蛍光が漏れ出してしまうことがない。本発明によればシンチレータで生じた蛍光は確実に光検出器で検出できる検出器結合体を提供することができる。
【図面の簡単な説明】
【００３７】
【図１】実施例１に係る検出器結合体の全体構成を説明する斜視図である。
【図２】実施例１に係る放射線検出器の全体構成を説明する斜視図である。
【図３】実施例１に係る放射線検出器の構成を説明する平面図である。
【図４】実施例１に係る放射線検出器の構成を説明する平面図である。
【図５】実施例１に係る放射線検出器の構成を説明する平面図である。
【図６】実施例１に係る検出器結合体の全体構成を説明する分解斜視図である。
【図７】実施例１に係る隔壁板の構成を説明する平面図である。
【図８】実施例１に係る隔壁板の構成を説明する平面図である。
【図９】実施例１に係る隔壁板の構成を説明する斜視図である。
【図１０】実施例１に係る隔壁板の構成を説明する平面図である。
【図１１】実施例１に係る放射線検出器が互いに独立している必要性を説明する模式図である。
【図１２】実施例１に係る隔壁板がライトガイドまで延伸している様子を説明する平面図である。
【図１３】実施例１に係る構成の効果を説明する模式図である。
【図１４】実施例１に係る構成の効果を説明する模式図である。
【図１５】本発明の１変形例を説明する模式図である。
【図１６】本発明の１変形例を説明する模式図である。
【図１７】本発明の１変形例を説明する模式図である。
【図１８】本発明の１変形例を説明する模式図である。
【図１９】従来構成の放射線検出器を説明する模式図である。
【図２０】従来構成の検出器結合体の構成を説明する模式図である。
【図２１】従来構成の検出器結合体の構成の問題点を説明する模式図である。
【図２２】従来構成の検出器結合体の構成の問題点を説明する模式図である。
【発明を実施するための形態】
【００３８】
以降、発明を実施するための形態について、実施例に基づいて説明する。
【実施例１】
【００３９】
続いて実施例１に係る検出器結合体１０について説明する。本発明に係る検出器結合体１０は、γ線などの放射線を検出する放射線検出器の一種であり、図１に示すように、従来構成の放射線検出器１を配列して構成される。検出器結合体１０は、４つの放射線検出器１を縦横に２×２のマトリックス状に配列して結合した構成となっている。本発明に係る検出器結合体１０は、放射線検出器同士がすき間無く配列されている構成となっている。本発明によれば、検出器結合体１０を構成する放射線検出器１の間を放射線がすり抜けてしまうことがなく、個別の放射線検出器１を４つ並べただけの構成と比べて、検出感度の改善がなされている。本発明に係る検出器結合体１０は、ＴＯＦ−ＰＥＴ（Ｔｉｍｅ  ｏｆ  Ｆｒｉｇｈｔ  -  Ｐｏｓｉｔｒｏｎ  Ｅｍｉｓｓｉｏｎ  Ｔｏｍｏｇｒａｐｈｙ）装置に用いることができる。本発明に係る装置は、この他、一般的なＰＥＴ装置やＳＰＥＣＴ(Single photon emission computed tomography)装置に用いることもできる。本発明の検出器結合体１０は、複数の放射線検出器１が縦横に２次元的に配列された構成となっている。【００４０】
図２は、検出器結合体１０を構成する放射線検出器１について説明している。図２に示すように、実施例１に係る放射線検出器は、放射線を蛍光に変換するシンチレータ結晶ｃが縦横に配列し、高さ方向に第１層Ｌ１ないし第４層Ｌ４の４つの層を有するシンチレータ２と、シンチレータ２に光学的に接続されたシリコン・フォト・マルチプライア・アレイ（以下、ＳｉＰＭＡ３よぶ）と、シンチレータ２とＳｉＰＭＡ３との間に介在する位置に配置されたライトガイド４とを備えた放射線検出器である。このＳｉＰＭＡ３は、蛍光を検出する半導体素子シリコン・フォト・マルチプライアが２次元マトリックス状に配列されており、入射した蛍光のｘ，およびｙ（横および縦）についての位置を弁別することができる。ライトガイド４は、シンチレータ２で生じた蛍光をＳｉＰＭＡ３に導くために設けられている。したがって、ライトガイド４は、シンチレータ２とＳｉＰＭＡ３とに光学的に結合されている。ＳｉＰＭＡ３は、本発明の光検出器に相当する。【００４１】
放射線検出器１は、放射線を蛍光に変換するシンチレータ結晶が縦横に配列して構成されるシンチレータ２と、シンチレータ２で発生した蛍光を通過させるライトガイド４と、ライトガイド４を通過してきた蛍光を検出するＳｉＰＭＡ３とがこの順に積層方向に積層されて構成される。【００４２】
シンチレータ２は、放射線を蛍光に変換するシンチレータ結晶ｃがｘ，ｙ方向に二次元的に配列して構成され、ｚ方向に第１層Ｌ１ないし第４層Ｌ４の４つの層を有している。すなわち、シンチレータ２は、ｚ方向（高さ方向）に細長状となっている４角柱形状のシンチレータ結晶ｃが二次元的に配列されることにより構成されている。シンチレータ結晶ｃの各々は、Ｃｅが拡散した（Ｌｕ，Ｇｄ）２ＳｉＯ５（以下、ＬＧＳＯとよぶ）によって構成されている。また、シンチレータ結晶ｃの各々は、例えば、ｘ方向の幅が１．４５ｍｍ，ｙ方向の幅が１．４５ｍｍ，ｚ方向の高さが１８ｍｍの直方体をしている。また、シンチレータ２の４側端面は、図示しない反射膜で被覆されている。シンチレータ結晶ｃは、シンチレータ２の第１層Ｌ１ないし第４層Ｌ４に跨って設けられている。すなわち、シンチレータ２を構成するシンチレータ結晶ｃは、シンチレータ２の高さ方向ｚの全域に跨って設けられている。【００４３】
なお、シンチレータ２で発した蛍光は、ライトガイド４を介してシンチレータ２に光学的に接続された蛍光を検出するＳｉＰＭＡ３によって弁別される。すなわち、ＳｉＰＭＡ３は、シンチレータ２で発した蛍光がどのシンチレータ結晶ｃから発生したものであるのかを区別することができるのである。つまり、ＳｉＰＭＡ３は、シンチレータ２のｘ方向およびｙ方向について蛍光の発生位置の弁別能を有している。【００４４】
ＳｉＰＭＡ３は、シンチレータ２のｚ方向についても蛍光の発生位置の弁別をすることができる。すなわち、ＳｉＰＭＡ３は、シンチレータ２が有する４つの層のうち、どの層から蛍光が発したのかを弁別することができるのである。すなわち、シンチレータ２は、ｚ方向について４つの領域に区分けすることができる。このときの区分けを順番に第１層Ｌ１，第２層Ｌ２，第３層Ｌ３，第４層Ｌ４と呼ぶことにする。これら４層のうち、シンチレータ２における放射線が入射する面である入射面側に位置する層を第１層Ｌ１であるものとし、シンチレータ２におけるライトガイド４側に位置する層を第４層Ｌ４であるものとする。シンチレータ２を構成するシンチレータ結晶ｃは、この各層Ｌ１，Ｌ２，Ｌ３，Ｌ４に跨って存在しているということになる。各層Ｌ１，Ｌ２，Ｌ３，Ｌ４のｚ方向の高さは、それぞれ４．５ｍｍに設定されている。【００４５】
互いに隣接するシンチレータ結晶ｃに挟まれる位置には、蛍光を透過する透過材ｔが設けられている。透過材ｔは、シンチレータ結晶ｃと反射板ＲＸ，ＲＹとの間にも形成されている。この透過材ｔは、シンチレータ結晶ｃや反射板を結合してシンチレータ２を形作る役割も果たしている。この透過材ｔの厚さは、シンチレータ結晶ｃと反射板ＲＸ，ＲＹとの間において２５μｍ程度であり、材料としては、シリコン樹脂からなる熱硬化性樹脂が使用できる。【００４６】
シンチレータ２を構成する互いに隣接するシンチレータ結晶ｃは、屈折率がシンチレータ結晶ｃを構成する材料よりも小さい透過材ｔにより光学的に結合されている。【００４７】
次に、反射板について説明する。シンチレータ２には、互いに隣接するシンチレータ結晶ｃの隙間に蛍光を反射するｘ方向（横方向）に伸びる反射板ＲＸおよびｙ方向（縦方向）に伸びる反射板ＲＹとが設けられている。反射板ＲＸ，ＲＹは、図２に示すように、互いに隣接するシンチレータ結晶ｃの間に介在する位置あり、例えばポリエステルフィルムなどのプラスチックフィルムで構成され、厚さは、例えば１２５μｍとなっている。【００４８】
＜反射板ＲＸについて＞
まず、反射板ＲＸについて説明する。図３の左側は、実施例１に係るシンチレータをそのｙｚ側端面から見たときの平面図である。図３の左側の示すように、いずれの反射板ＲＸも、ｘ方向、およびｚ方向に伸びた板状であり、シンチレータ結晶ｃの隙間に挿入されている。しかも、そのｚ方向の高さは例えば４．５ｍｍに設定されている。このように、反射板ＲＸと各層Ｌ１，Ｌ２，Ｌ３，Ｌ４の高さは等しい。【００４９】
反射板ＲＸ１は、第１層Ｌ１のシンチレータ結晶ｃの隙間に挿入される反射板であり、反射板ＲＸ２は、第２層Ｌ２のシンチレータ結晶ｃの隙間に挿入される反射板である。また、反射板ＲＸ１は、ｙ方向に配列された８個のシンチレータ結晶ｃのうち、例えば、ｃ（８，２）とｃ（８，３）との間に挿入される。この様に、反射板ＲＸ１の左隣は、ｙ方向について偶数番のシンチレータ結晶ｃが位置し、反射板ＲＸ１の右隣は、ｙ方向について奇数番のシンチレータ結晶ｃが位置している。一方、反射板ＲＸ２は、シンチレータ結晶層において、反射板ＲＸ２とは異なる位置に挿入される。すなわち、反射板ＲＸ２の左隣は、ｙ方向について奇数番のシンチレータ結晶ｃが位置し、反射板ＲＸ２の右隣は、ｙ方向について偶数番のシンチレータ結晶ｃが位置している。なお、この反射板ＲＸ１は、第１層Ｌ１において３枚設けられ、反射板ＲＸ２は、第２層Ｌ２において４枚設けられる。このように、反射板ＲＸ１，ＲＸ２は、シンチレータ２の第１層Ｌ１と第２層Ｌ２との間で交互に出現するようにシンチレータ結晶ｃ１個分の周期でｙ方向に配列している。反射板ＲＸ１の高さは、第１層Ｌ１の高さに等しく、反射板ＲＸ２の高さは、第２層Ｌ２の高さに等しい。【００５０】
反射板ＲＸ３は、第３層Ｌ３のシンチレータ結晶ｃの隙間に挿入される反射板であり、シンチレータ２における反射板ＲＸ３の挿入位置は、反射板ＲＸ１と同様なものとなっている。同様に、反射板ＲＸ４は、第４層Ｌ４のシンチレータ結晶ｃの隙間に挿入される反射板であり、シンチレータ２における反射板ＲＸ４の挿入位置は、反射板ＲＸ２と同様なものとなっている。すなわち、反射板ＲＸ３の左隣は、ｙ方向について偶数番のシンチレータ結晶ｃが位置し、反射板ＲＸ３の右隣は、ｙ方向について奇数番のシンチレータ結晶ｃが位置している。そして、反射板ＲＸ４の左隣は、ｙ方向について奇数番のシンチレータ結晶ｃが位置し、反射板ＲＸ４の右隣は、ｙ方向について偶数番のシンチレータ結晶ｃが位置している。なお、この反射板ＲＸ３は、第３層Ｌ３において３枚設けられ、反射板ＲＸ４は、第４層Ｌ４において４枚設けられる。このように、反射板ＲＸ３，ＲＸ４は、シンチレータ２の第３層Ｌ３と第４層Ｌ４との間で交互に出現するようにシンチレータ結晶ｃ１個分の周期でｙ方向に配列している。反射板ＲＸ３の高さは、第３層Ｌ３の高さに等しく、反射板ＲＸ４の高さは、第４層Ｌ４の高さに等しい。【００５１】
このように、第１層Ｌ１および第２層Ｌ２に備えられた反射板ＲＸ１，ＲＸ２は、２つの層の間で交互に出現するようにシンチレータ結晶１個分の周期で縦方向に配列している。同様に、第２層Ｌ２および第３層Ｌ３に備えられた反射板ＲＸ２，ＲＸ３は、２つの層の間で交互に出現するようにシンチレータ結晶１個分の周期で縦方向に配列している。同様に、第３層Ｌ３および第４層Ｌ４に備えられた反射板ＲＸ３，ＲＸ４は、２つの層の間で交互に出現するようにシンチレータ結晶１個分の周期で縦方向に配列している。【００５２】
＜反射板ＲＹについて＞
続いて、反射板ＲＹについて説明する。図３の右側は、実施例１に係るシンチレータをそのｚｘ側端面から見たときの平面図である。図３の右側の示すように、いずれの反射板ＲＹも、ｙ方向、およびｚ方向に伸びた板状であり、シンチレータ結晶ｃの隙間に挿入されている。第１層Ｌ１および第２層Ｌ２に跨って設けられている反射板ＲＹａのｚ方向の高さは例えば９ｍｍに設定されている。このように、反射板ＲＹａの高さは第１層Ｌ１と第２層Ｌ２との合計の高さに等しい。同様に、第３層Ｌ３および第４層Ｌ４に跨って設けられている反射板ＲＹｂのｚ方向の高さは例えば９ｍｍに設定されている。このように、反射板ＲＹｂの高さは第３層Ｌ３と第４層Ｌ４との合計の高さに等しい。【００５３】
第１層Ｌ１，第２層Ｌ２には、ｙ方向に伸びる反射板ＲＹａがシンチレータ結晶ｃの隙間に挿入されている。この反射板ＲＹａは、ｘ方向に配列された８個のシンチレータ結晶ｃのうち、例えば、ｃ（２，１）とｃ（３，１）との間に挿入される。この様に、反射板ＲＹａの左隣は、ｘ方向について偶数番のシンチレータ結晶ｃが位置し、反射板ＲＹａの右隣は、ｘ方向について奇数番のシンチレータ結晶ｃが位置している。この反射板ＲＹａの各々は、第１層Ｌ１，第２層Ｌ２に跨って設けられており、シンチレータ２全体では３枚設けられる。反射板ＲＹａは、シンチレータ２の第１層Ｌ１と第２層Ｌ２とに跨っているとともにシンチレータ結晶ｃ２個分の周期でｘ方向に配列している。【００５４】
同様に、第３層Ｌ３，第４層Ｌ４には、ｙ方向に伸びる反射板ＲＹｂがシンチレータ結晶ｃの隙間に挿入されている。しかし、その挿入位置は、反射板ＲＹａとは異なるものとなっている。すなわち、反射板ＲＹｂの左隣は、ｘ方向について奇数番のシンチレータ結晶ｃが位置し、反射板ＲＹｂの右隣は、ｘ方向について偶数番のシンチレータ結晶ｃが位置している。この反射板ＲＹｂの各々は、第３層Ｌ３，第４層Ｌ４に跨って設けられており、シンチレータ２全体では４枚設けられる。反射板ＲＹｂは、シンチレータ２の第３層Ｌ３と第４層Ｌ４とに跨っているとともにシンチレータ結晶ｃ２個分の周期でｘ方向に配列している。【００５５】
このように、第１層Ｌ１および第２層Ｌ２に備えられた反射板ＲＹａは、出現する位置が２つの層の間で同じとなるようにシンチレータ結晶２個分の周期で横方向に配列している。同様に、第２層Ｌ２および第３層Ｌ３に備えられた反射板ＲＹａ，ＲＹｂは、２つの層の間で交互に出現するようにシンチレータ結晶１個分の周期で横方向に配列している。同様に、第３層Ｌ３および第４層Ｌ４に備えられた反射板ＲＹｂは、出現する位置が２つの層の間で同じとなるようにシンチレータ結晶２個分の周期で横方向に配列している。【００５６】
＜蛍光の発生位置の弁別方法＞
次に、実施例１に係る放射線検出器１のｘ，ｙ，ｚ方向における蛍光の発生位置の弁別方法について説明する。シンチレータ２に入射したγ線は、４領域のいずれかで蛍光に変換される。この蛍光は、ライトガイド４の方向に進み、ライトガイド４を介してＳｉＰＭＡ３に入射する。ＳｉＰＭＡ３は、マルチアノードタイプであり、入射位置に応じて出力される検出信号の電圧が段階的に変化する構成となっている。こうして、蛍光がＳｉＰＭＡ３に入射したｘ，およびｙ方向の位置を弁別することができる。【００５７】
次に、図４，図５を参照しながら、放射線検出器１のｚ方向における蛍光の発生位置の弁別方法について説明する。図４，図５に示すように、シンチレータ２の４領域において、反射板ＲＸと反射板ＲＹの挿入位置が互いに異なるものとなっている。図４，図５を通じて（２，２）に位置するシンチレータ結晶ｃ（２，２）（図４，図５中に斜線で示す）に注目すると、４領域における反射板ＲＸ，ＲＹの挿入方向は、互いに異なったものとなっている。シンチレータ結晶ｃで生じた蛍光は、ｘ，およびｙ方向に広がりながらＳｉＰＭＡ３に到達するが、反射板ＲＸ，ＲＹを設けることによって、その広がり方に方向性が付加される。しかも、ｘ，ｙの位置が同一な各層Ｌ１，Ｌ２，Ｌ３，Ｌ４で発した蛍光の各々を比較すれば、それらが広がる方向は互いに異なったものとなっている。つまり、シンチレータ２のｚ方向における蛍光発生位置の違いは、蛍光のｘ，ｙ方向の位置の違いに変換されることになる。ＳｉＰＭＡ３は、このｚ方向の位置の違いに起因する蛍光のｘ，ｙ方向のわずかなずれを検知し、そこから蛍光のｚ方向に関する発生位置が各層Ｌ１，Ｌ２，Ｌ３，Ｌ４の中のどこかを割り出すことができる。【００５８】
＜隔壁板組体の構成＞  
本発明の検出器結合体１０は、図２，図３，図４，図５で説明した構成の放射線検出器１の４つが図６に示すように二次元マトリックス状に配列されて構成される。すなわち、検出器結合体１０は、上述の放射線検出器１の他に、積層方向を一致させた状態で積層方向と直交する方向から放射線検出器１に結合される放射線検出器１をもう３つ有している。これら放射線検出器１は互いに同様の構成となっており、検出器結合体１０は、この４つの放射線検出器１が縦横に配列されて構成されている。検出器結合体１０を構成する隣り合う放射線検出器１は、シンチレータ２の側面同士が隔壁板５Ｘ，５Ｙを介して結合される。また、隣り合う放射線検出器１のライトガイド４の側面同士も隔壁板５Ｘ，５Ｙを介して結合される。隔壁板５Ｘ，５Ｙは、各放射線検出器１を隔離する仕切り板となっており、シンチレータ２で発生した蛍光を反射する材料で構成されている。また、隣り合う放射線検出器１のＳｉＰＭＡ３の側面同士は、隔壁板５Ｘ，５Ｙを介さず直接結合される。隔壁板５Ｘ，５Ｙは、両隣にある放射線検出器１のシンチレータ２に挟まれる位置に設けられるとともに蛍光を反射する材料で構成されている。しかも、隔壁板５Ｘ，５Ｙは、両放射線検出器１のライトガイド４に挟まれる位置にまで延伸している。【００５９】
各放射線検出器１と隔壁板５Ｘ，５Ｙは、光学接着剤を介して互いに結合している。したがって、各放射線検出器１と隔壁板５Ｘ，５Ｙとの間には、シンチレータ２内部で見られるような光学接着剤が硬化した透過材の層が形成されている。【００６０】
検出器結合体１０を構成する隔壁板５Ｘ，５Ｙは、Ｘ方向に伸びる隔壁板５Ｘと、Ｙ方向に伸びる隔壁板５Ｙの二種類がある。隔壁板５Ｘは、Ｙ方向から隣接する放射線検出器１のシンチレータ２同士が直接に結合することを防止しており、隔壁板５Ｙは、Ｘ方向から隣接する放射線検出器１のシンチレータ２同士が直接に結合することを防止している。検出器結合体１０を構成する各放射線検出器１は、隔壁板５Ｘ，５Ｙにより互いに光学的に隔離される。【００６１】
図７，図８は、隔壁板５Ｘ，５Ｙの構成を示している。隔壁板５Ｘには、図７に示すように高さ方向ｚに伸びた溝Ｇが設けられている。この溝Ｇは、隔壁板５Ｘの下半分に位置し、Ｘ方向における中央に設けられている。隔壁板５Ｙには、図８に示すように高さ方向ｚに伸びた溝Ｇが設けられている。この溝Ｇは、隔壁板５Ｘの上半分に位置し、Ｙ方向における中央に設けられている。【００６２】
隔壁板５Ｘ，５Ｙは互いの溝Ｇを嵌め合わせると、図９に示すような＋形状の隔壁板組体となる。この隔壁板組体は、空間を４つに仕切るような形状となっている。仕切られた各空間のそれぞれには放射線検出器が配置されることになる。隔壁板組体は、縦方向に伸びる隔壁板５Ｙと横方向に伸びる隔壁板５Ｘとが組み合わさって構成される。【００６３】
隔壁板５Ｘ，５Ｙの構成について説明する。隔壁板５Ｘ，５Ｙは、図１０に示すように白色の反射シートが２枚のＥＳＲ(Enhanced Specular Reflector)フィルムで挟み込まれたような構成となっている。ＥＳＲフィルムは、蛍光を吸収せずに反射する性質を有しているが、蛍光を透過させてしまう性質がある。白色の反射シートは、蛍光の透過を阻止して反射する性質を有しているが、蛍光を吸収してしまう性質がある。隔壁板５Ｘ，５Ｙは互いの反射板の特性を互いに補うような構成を採用している。白色の反射シートにより、隔壁板５Ｘ，５Ｙは、シンチレータ２で生じた蛍光が隣のシンチレータ２に逃げ出してしまうことを確実に防止することができる。隔壁板５Ｘ，５Ｙは、ＥＳＲフィルム、白色シート、ＥＳＲフィルムがこの順に積層され、互いに接着されて一体化している。【００６４】
＜放射線検出器を隔壁板で隔離する理由＞
この隔壁板５Ｘ，５Ｙが検出器結合体１０に設けられる理由について説明する。隔壁板５Ｘ，５Ｙは、各放射線検出器１の独立性を保証する目的で設けられる。放射線検出器１の独立性とは、蛍光の検出動作の独立性のことである。すなわち、ある放射線検出器のシンチレータ２に入射した放射線は、このシンチレータ２を有している放射線検出器１に検出され、その隣の放射線検出器１は、当該放射線の検出はしない。【００６５】
このように、検出器結合体１０は、４つの放射線検出器のどれか１つで放射線を検出する構成となっている。１つの放射線について２つの放射線検出器が検出をしてしまうことはない。この様な構成であるがゆえ、シンチレータ２で発生した蛍光は、確実にその下にあるＳｉＰＭＡ３で検出させるようにしなければならない。シンチレータ２で発生した蛍光が隣のシンチレータ２にまで広がってしまうと、それだけ、ＳｉＰＭＡ３で検出される蛍光が弱くなってしまう。【００６６】
蛍光の一部が逃げ出していった隣のシンチレータ２にもＳｉＰＭＡ３が結合されている。したがって、隣のシンチレータ２にはみ出た蛍光は、隣のシンチレータ２に結合されているＳｉＰＭＡ３で検出すればよいのではないかいう疑問が浮かぶ。つまり、蛍光を４つのＳｉＰＭＡ３で検出すればよいのではないかというのである。この様な構成とするのはＳｉＰＭＡ３の制御上の問題がある。【００６７】
図１１は、この様な事情について説明している。図１１は、ＳｉＰＭＡ３が有する検出素子について説明している。検出素子３ａは、図１１左側に示すように、ＳｉＰＭＡ３におけるライトガイド４の結合面に設けられている。結合面には、図１１右側に示すように、縦４×横４のマトリックス状に検出素子３ａが配列されている。したがって、ＳｉＰＭＡ３には、１６個の検出素子３ａが設けられていることになる。シンチレータ２で蛍光が発生するとこの１６個の検出素子３ａが蛍光を検出することになる。【００６８】
１６個ある検出素子３ａが出力する検出信号は、１つの出力端子を通じて放射線検出器１外に出力される構成となっている。検出素子３ａの出力は、ある程度のノイズを含んでいる。このノイズは、蛍光の検出に関係なく常に出力される。１つの出力端子に１６個の検出素子３ａが接続されている構成では、検出素子３ａのノイズ成分が足しあわされて１つの出力端子に流れる。この合計されたノイズは、互いに強め合ったり弱め合ったりを繰り返すので、強度の振れ幅が大きくなる。【００６９】
この様な事情があるので、１つの出力端子に接続できる検出素子３ａの個数には限界がある。上述のように、シンチレータ２で生じた蛍光を４つのＳｉＰＭＡ３で検出するようにすると、蛍光の検出に６４個の検出素子３ａが用いられることになる。これら６４個の検出素子３ａが出力する検出信号は、やはり１つの出力端子を通じて放射線検出器１外に出力される。【００７０】
１つの出力端子に検出素子３ａを６４個も繋いでしまうと、出力端子から取り出されるノイズ成分の振れ幅は更に大きくなる。そして、ついに蛍光を検出していないのに蛍光を検出したかのような誤認識が発生してしまう。このようなダークカウント現象を防ぐには、出力端子に接続する検出素子３ａの個数を減らす必要がある。したがって、あるシンチレータ２で発生した蛍光を検出するのに６４個すべての検出素子３ａは利用されないのである。【００７１】
＜本発明の最も特徴的な構成＞
続いて本発明の装置において最も特徴的な構成について説明する。すなわち、本発明の検出器結合体１０は、隔壁板５Ｘ，５Ｙの高さ方向の長さがシンチレータ２の長さよりも長くなっているのである。すなわち、隔壁板５Ｘ，５Ｙは、図１２に示すように、シンチレータ２の側面の全面を覆うだけでなく、ライトガイド４側に延伸している。そして、隔壁板５Ｘ，５Ｙは、ライトガイド４の側面の全面を覆っている。これにより、シンチレータ２で生じた蛍光は、隔壁板５Ｘ，５Ｙにより、シンチレータ間を往来することもできないだけでなく、ライトガイド間を往来することもできない。図１２は、隔壁板５Ｙについての説明となっている。シンチレータ２とライトガイド４とに挟まれる様子は、隔壁板５Ｘと隔壁板５Ｙとの間で違いはない。【００７２】
シンチレータ２で発生した蛍光は、ライトガイド４に向かう。このライトガイド４に入射した蛍光のほとんどは、ＳｉＰＭＡ３に入射することになる。しかし、蛍光の一部は、ライトガイド４の側面から出射し、隣のライトガイド４に向かおうとする。このような蛍光は、隔壁板５Ｘ，５Ｙにより阻まれて、結局は隣のライトガイド４に入射することはできない。【００７３】
＜本発明の効果＞
隔壁板５Ｘ，５Ｙがシンチレータ２とライトガイド４とを一体的に覆うことによる効果について説明する。図１３は、隔壁板５Ｙの近傍で蛍光が発生した場合を示している。図１３の☆の位置で発生した蛍光は、一部が現在いるシンチレータ２から隣のシンチレータ２に入射しようとする。しかし、蛍光は、隔壁板５Ｙで反射して現在いるシンチレータ２の内部に向かい、結局、隣のシンチレータ２に入射することができない。シンチレータ２に光学的に接続されているライトガイド４まで進んだ蛍光は、一部が現在いるライトガイド４から隣のライトガイド４に入射しようとする。しかし、蛍光は、隔壁板５Ｙで反射して現在いるライトガイド４の内部に向かい、結局、隣のライトガイド４に入射することができない。そして、蛍光は、ＳｉＰＭＡ３に入射する。図１３の網掛けは、ＳｉＰＭＡ３に入射するまでの蛍光の通り道を示している。【００７４】
図１４は、シンチレータ２とライトガイド４に個別に隔壁板５Ｙが設けられている場合を示している。図１４の☆印は、蛍光の発生位置を表している。図１４に係る構成では、シンチレータ２の側面を覆う隔壁板５Ｙａとライトガイド４の側面を覆う隔壁板５Ｙｂとがあり、互いに別体となっている以上、隔壁板５Ｙａ，５Ｙｂの間には隙間ｓが生じる。この隙間ｓは、放射線検出器１と隔壁板５Ｙａ，５Ｙｂとを貼り合わせる際に用いられる接着剤が硬化した透過材で満たされている。この接着剤は、シンチレータ２とライトガイド４とを接着する接着剤と同質のものであり、硬化すると蛍光を透過する性質を有している。したがって、蛍光は、隔壁板５Ｙａと隔壁板５Ｙｂとの間に開いた逃げ道を通じて隣のシンチレータ２やライトガイド４に進入してしまう。図１４の網掛けは、ＳｉＰＭＡ３に入射するまでの蛍光の通り道を示している。【００７５】
蛍光は、１つの放射線検出器１で検出される。つまり、図１３の構成で言うと、左側のシンチレータ２で発生した蛍光は、左側のＳｉＰＭＡ３のみで検出されるわけである。図１３の場合は、蛍光は、すべて左側のＳｉＰＭＡ３で検出され、検出信号に変換される。ところが、図１４の場合、蛍光は、すべて左側のＳｉＰＭＡ３で検出されるわけではない。したがって、検出信号は、図１３のときよりも弱くなってしまう。図１４において右側のＳｉＰＭＡ３に漏れ出した蛍光は、右側のＳｉＰＭＡ３で検出されたとしても、このときの検出信号は、左側のＳｉＰＭＡ３の検出結果に反映されることはない。本発明の検出器結合体１０は、図１１を用いて説明したように各放射線検出器１は互いに蛍光を独立的に検出するような構成となっているからである。実際の右側のＳｉＰＭＡ３の動作を考えると、入射した蛍光が弱すぎて、検出信号の出力はしないものと考えられる。【００７６】
以上のように、本発明によれば、複数の放射線検出器１を一体化させて構成される検出器結合体１０において、ある放射線検出器１で発生した蛍光を隣の放射線検出器１側に漏洩させないように工夫することで、検出感度を高めることができる。すなわち、本発明に係る検出器結合体１０は、両放射線検出器１のシンチレータ２に挟まれる位置に設けられた蛍光を反射する隔壁板５Ｘ，５Ｙを備え、隔壁板５Ｘ，５Ｙは、両放射線検出器１のライトガイド４に挟まれる位置にまで延伸している。この様に構成することにより、従来構成のようにライトガイド４に係る隔壁板５Ｘ，５Ｙとシンチレータ２に係る隔壁板５Ｘ，５Ｙとの間の隙間から蛍光が漏れ出してしまうことがない。本発明によればシンチレータ２で生じた蛍光は確実にＳｉＰＭＡ３で検出できる検出器結合体１０を提供することができる。【００７７】
また、シンチレータ結晶がシンチレータ２の高さ方向の全域に跨って設けられていれば、シンチレータ結晶同士の界面で蛍光の一部が反射することがなく、放射線検出の感度が向上した検出器結合体１０を提供することができる。【００７８】
本発明の検出器結合体１０は、従来構成と比べて放射線検出の感度が向上している。したがって、本発明は、高度な検出分解能が要求されるＴＯＦ−ＰＥＴにも用いることができる。【００７９】
本発明は、上述の構成に限られず、下記のように変形実施することができる。【００８０】
（１）上述した各実施例のいうシンチレータ結晶は、ＬＧＳＯで構成されていたが、本発明においては、その代わりに、ＬＹＳＯ（Ｌｕ２（１−Ｘ）Ｙ２ＸＳｉＯ５）やＧＳＯ（Ｇｄ２ＳｉＯ５）などの他の材料でシンチレータ結晶を構成してもよい。本変形例によれば、より安価な検出器結合体が生成できる。【００８１】
（２）実施例の構成によれば、４つの放射線検出器が組み合わさって検出器結合体が構成されていたが、本発明はこの構成に限られない。図９で示した隔壁板組体を構成する隔壁板の枚数を変更することにより、検出器結合体を構成する放射線検出器の個数を自由に変更することができる。【００８２】
（３）実施例の構成によれば、図１２に示すように隔壁板５Ｙがライトガイド４間で伸びていたが、本発明はこの構成に限られない。図１５に示すように隔壁板をより伸ばして、先端が両放射線検出器の光検出器に挟まれる位置にまで延伸するようにしてもよい。この様にすると、左側のシンチレータ２で生じた蛍光が隔壁板５Ｙを回り込んで右側の光検出器３に入射してしまうことがない。本変形例のような構成とすれば、隣同士のライトガイド４間で蛍光が往来することをより確実に防止することができる。【００８３】
（４）実施例の構成によれば、放射線検出器はライトガイド４を有していたが、本発明はこの構成に限られない。本発明はライトガイドを有していない放射線検出器についても適用できる。本変形例に係る検出器結合体１０は、図１６に示すように、シンチレータ２と光検出器３とが光学的に結合されて構成される放射線検出器が複数結合されて構成されている。本発明に係る放射線検出器は、シンチレータと、蛍光を検出する光検出器が積層方向に積層されて構成されている。【００８４】
図１７は、ライトガイドを有しない放射線検出器で構成される検出器結合体の従来構成を示している。各光検出器は、光学的な隔絶が不完全であり、光検出器には、隣の光検出器に結合されているシンチレータから蛍光が入射しないとは言い切れない。本変形例によれば、図１８に示すように、隔壁板５Ｙは、先端が両放射線検出器の光検出器３に挟まれる位置にまで延伸している。各光検出器３は、この隔壁板５Ｙにより確実に隔絶されている。したがって、図１８の星印で示す左側のシンチレータ２で生じた蛍光は、全て左側の光検出器３で検出され、右側の光検出器３の入射面には入射しない。【００８５】
なお、図１６によれば、４つの放射線検出器が組み合わさって検出器結合体が構成されていたが、本変形例はこの構成に限られない。図９で示した隔壁板組体を構成する隔壁板の枚数を変更することにより、検出器結合体を構成する放射線検出器の個数を自由に変更することができる。
【符号の説明】
【００８６】
１     放射線検出器
２     シンチレータ
３     光検出器
４     ライトガイド
５     隔壁板
【産業上の利用可能性】
【００８７】
以上のように、本発明は医用分野に適している。
【図１】
2016067687.tif 000003
【図２】
2016067687.tif 000004
【図３】
2016067687.tif 000005
【図４】
2016067687.tif 000006
【図５】
2016067687.tif 000007
【図６】
2016067687.tif 000008
【図７】
2016067687.tif 000009
【図８】
2016067687.tif 000010
【図９】
2016067687.tif 000011
【図１０】
2016067687.tif 000012
【図１１】
2016067687.tif 000013
【図１２】
2016067687.tif 000014
【図１３】
2016067687.tif 000015
【図１４】
2016067687.tif 000016
【図１５】
2016067687.tif 000017
【図１６】
2016067687.tif 000018
【図１７】
2016067687.tif 000019
【図１８】
2016067687.tif 000020
【図１９】
2016067687.tif 000021
【図２０】
2016067687.tif 000022
【図２１】
2016067687.tif 000023
【図２２】
2016067687.tif 000024
【国際調査報告】
2016067687.tif 000025
2016067687.tif 000026
2016067687.tif 000027
2016067687.tif 000028